(57)【要約】【課題】データアイランドに対する読み取りと書き込みが向上すると共に、面データ密度が増大したパターン化媒体が必要とされている。【解決手段】パターン化媒体２１０は複数のトラック内に配置された複数の分離したデータアイランド２３０を有し、当該複数のトラックは複数のマルチトラックグループ或いは「ハイパートラック」に分かれて配置されている。複数のアイランドはトラックに沿った方向に均等なアイランドスペース（IS）の間隔を隔てて配置されており、それぞれのハイパートラック内ではトラックは均等なトラックスペース（TS）の距離を隔てて配置されている。一つのハイパートラック内にN個のトラックが存在する場合には、ハイパートラックの各トラックにおけるアイランドは、同じハイパートラック内の隣り合った別のトラックにおけるアイランドからISの1/N倍の長さ分だけトラックに沿った方向にずれて配置されている。【選択図】図４
2008217967.tif 000002
【特許請求の範囲】
【請求項１】
基板と、
前記基板上に設けられた、間隔を隔てて配置された複数のトラック内に配置される複数の分離した磁化可能なアイランドを有し、
前記複数のトラックは、一つのグループの各トラック内のアイランドが同じグループの隣り合った別のトラック内のアイランドからトラックに沿った方向にずれて、２以上のＮ個のトラックから成る複数のグループに分けて配置されており、
各グループは隣り合った別のグループから、グループ内のトラックの間隔よりも大きな間隔を隔てて配置されていることを特徴とする磁気記録媒体。
【請求項２】
前記各トラック内の複数のアイランドが、隣り合ったアイランドの中心間の間隔ISにてほぼ均等にトラックに沿った方向に離れて配置されていることを特徴とする請求項１記載の記録媒体。
【請求項３】
前記各トラック内の複数のアイランドがほぼ均等にトラックに沿った方向に離れて配置されており、一つのグループの各トラック内のアイランドが同じグループの隣り合った別のトラック内のアイランドからトラックに沿った方向のアイランドの間隔の約1/N倍の長さ分だけトラックに沿った方向にずれて配置されていることを特徴とする請求項１記載の記録媒体。
【請求項４】
前記一つのグループ内の複数のアイランドが、隣り合った別のグループ内のアイランドからトラックに沿った方向のアイランドの間隔のほぼ1/2N倍の長さ分だけトラックに沿った方向にずれて配置されていることを特徴とする請求項１記載の記録媒体。
【請求項５】
前記間隔を隔てて配置された複数のトラックの中心線の間隔を距離TSとし、前記複数のアイランドが隣り合った別のアイランドの中心間の間隔ISにてほぼ均等にトラックに沿った方向に離れて配置されており、TSがISよりも短いか同じ長さであることを特徴とする請求項１記載の記録媒体。
【請求項６】
前記複数のアイランドが前記基板に対してほぼ平行な方向に磁化可能であることを特徴とする請求項１記載の媒体。
【請求項７】
前記複数のアイランドが前記基板に対してほぼ垂直な方向に磁化可能であることを特徴とする請求項１記載の媒体。
【請求項８】
前記複数のトラックそれぞれがほぼ直線状のトラックであることを特徴とする請求項１記載の媒体。
【請求項９】
前記間隔を隔てて配置された複数のトラックそれぞれがほぼ同心の円形のトラックであることを特徴とする請求項１記載の媒体。
【請求項１０】
前記複数のアイランドが、前記基板からほぼ垂直に延びた複数の柱の上部に磁化可能な材料を設けたものであることを特徴とする請求項１記載の媒体。
【請求項１１】
基板と、
前記基板上に設けられた、隣り合ったデータアイランドの中心間の間隔ISをほぼ均等にトラックに沿った方向に隔てて配置した、複数の円形で同心のトラック内に配置された複数の分離した磁化可能なアイランドを有し、
前記複数のトラックは、各ハイパートラック内では隣り合ったトラックの中心線間の間隔TSがほぼ均等に配置され、一つのハイパートラックの各トラック内のアイランドが同じハイパートラックの半径方向に隣り合った別のトラック内のアイランドから約IS/Nの距離だけトラックに沿った方向にずれて配置されている、２以上のＮ個の半径方向に隣り合ったトラックから成る複数のハイパートラックに分けて配置されており、
各ハイパートラックは半径方向に隣り合った別のハイパートラックから、TSよりも大きな間隔を隔てて配置されていることを特徴とするパターン化された磁気記録ディスク。
【請求項１２】
前記一つのハイパートラック内のアイランドが、隣り合った別のハイパートラック内のアイランドから約IS/2Nの距離だけトラックに沿った方向にずれて配置されていることを特徴とする請求項１１記載のディスク。
【請求項１３】
TSがISよりも短いか同じ長さであることを特徴とする請求項１１記載のディスク。
【請求項１４】
前記複数のアイランドが前記基板に対してほぼ平行な方向に磁化可能であることを特徴とする請求項１１記載のディスク。
【請求項１５】
前記複数のアイランドが前記基板に対してほぼ垂直な方向に磁化可能であることを特徴とする請求項１１記載のディスク。
【請求項１６】
前記複数のアイランドが、前記基板からほぼ垂直に延びた複数の柱の上部に磁化可能な材料を設けたものであることを特徴とする請求項１１記載のディスク。
【請求項１７】
請求項１１記載のディスクと、
TSよりも大きなクロストラック方向の幅を有した、ハイパートラック内の全てのアイランドに対してクロストラック方向に移動することなく読み取りを行うための読み取りヘッドを備えた磁気記録ディスクドライブ。
【請求項１８】
前記ディスクドライブは更に、TSよりも大きなクロストラック方向の幅を有した、ハイパートラック内の全てのアイランドに対してクロストラック方向に移動することなく磁化を行うための書き込みヘッドを備えたことを特徴とする請求項１７記載のディスクドライブ。
【発明の詳細な説明】
【技術分野】
【０００１】
本発明は広く、磁気記録ハードディスクドライブにて用いられるディスク等のパターン化された磁気記録媒体に関し、特に、データアイランドが一定のパターンで配置され読み取り／書き込みが向上したパターン化媒体及び記録装置に関する。
【背景技術】
【０００２】
データ密度を増大させるために、パターン化された磁気記録媒体を備えた磁気記録ハードディスクドライブが提案されている。パターン化媒体においては、ディスク上の磁気記録層が、同心の複数のデータトラックに配置された複数の孤立した小さなデータアイランドにパターン化されている。パターン化媒体ディスクは、磁化方向が記録層の平面に対して平行或いは面内にあることを特徴とする面内磁気記録ディスクであってもよいし、磁化方向が記録層の平面に対して垂直或いは面外にあることを特徴とする垂直磁気記録ディスクであってもよい。パターン化された複数のデータアイランド間に必要な磁気的な隔離を施すためには、アイランド間のスペースの磁気モーメントを破壊するか、或いは、実質的に減少させ、これらのスペースを本質的に非磁性にする必要がある。パターン化媒体の一つのタイプにおいては、データアイランドは、ディスク基板表面の上方に延びた、間隙を介して配置されている隆起した柱であって、基板表面上の当該柱の間の谷又は溝を形作っているものである。そして、磁気記録層の材料は基板の表面全体に蒸着され、柱の端と溝の両方を覆っている。溝は柱の上端から窪んでいるので、読み取り／書き込みヘッドから十分に離れており、読み取り或いは書き込みに悪影響を及ぼすことはない。
【０００３】
上記の提案されているパターン化ディスクにおいて、各データアイランドは、半径方向或いはクロストラック方向に均等に間隔を隔てて配置された複数のデータトラックのうちの一つのデータトラックに沿って均一に間隔を空けて配置されている。読み取りヘッド及び書き込みヘッドは単一のトラック上のデータアイランドの読み取り或いは書き込みを行うので、データアイランドは通常はヘッドの横幅或いはクロストラック方向の幅にほぼ一致するような大きさとされる。ビットアスペクト比（ＢＡＲ）、即ち、一ビットに要求されるクロストラック方向の幅のトラックに沿った幅に対する比率が１：１を大幅に超えたデータアイランドを製造することは困難なので、データアイランドはＢＡＲがほぼ１：１となるように間隔を空けて配置される。
【０００４】
しかしながら、このような小さなＢＡＲを有したデータアイランドを備えた非常に狭いトラックに対して十分な性能を発揮するヘッドを製造することは困難である。更に、各データトラックがあまりにも小さな間隔にて配置されていた場合、書き込みが成されているトラックに隣り合ったトラックのアイランドに対してまでも書き込みヘッドによるフリンジング磁界によって書き込みが成されてしまう可能性があり、更に、読み込みが成されているデータトラックからの再生信号が隣り合うトラックに記録されたデータによる干渉を受ける可能性がある。
【０００５】
これらの問題を解決するためにトラック２つ分の幅を有したヘッドを備えたパターン化媒体ディスクドライブが提案されている。そのような構成にすることにより、ヘッドの幅が広がり製造が容易となり、更に、そのようなドライブは一度に二つのトラックに対して読み取りと書き込みを行うことが可能となる。このことによって、データ転送速度を倍にして性能を従来のディスクドライブに近いものとすることができる。このようなタイプのパターン化媒体ディスクドライブは特許文献１に開示されている。
【０００６】
【特許文献１】米国特許第6,937,421号明細書
【特許文献２】米国特許第6,754,017号明細書
【特許文献３】米国特許第6,440,520号明細書
【非特許文献１】Moritz et al.IEEE Transactions on Magnetics, Vol. 38, No.4, July 2002, pp. 1731-1736, ”Patterned Media Made From Pre-Etched Wafers: A Promising Route Toward Ultrahigh-Density Magnetic Recording”
【発明の開示】
【発明が解決しようとする課題】
【０００７】
しかしながら、パターン化媒体ディスクドライブの種類にかかわらず、つまり、ヘッドがトラック一つ分の幅であろうがトラック二つ分の幅であろうが、面データ密度を最大にするためにはデータアイランドの間隔やトラックの間隔を十分に空けることはできない。
【０００８】
そこで、パターン化磁気記録媒体、及び、そのような媒体を収容した、データアイランドに対する読み取りと書き込みが向上すると共に面データ密度が増大した記録装置が必要とされている。
【課題を解決するための手段】
【０００９】
本発明はデータアイランドのパターンが改良されたパターン化磁気記録媒体に関する。本発明において、データアイランドは、半径方向或いはクロストラック方向に間隔を隔てて配置された複数のトラックにそれぞれ配置されており、当該トラックは半径方向に間隔を隔てて配置されたマルチトラックグループ或いはハイパートラックに配置されている。本発明の複数のアイランドはトラックに沿った方向に均等なアイランドスペース（IS）の間隔を隔てて配置されており、それぞれのハイパートラック内ではトラックは半径方向或いはクロストラック方向に均等なトラックスペース（TS）の距離を隔てて配置されている。一つのハイパートラック内にN個のトラックが存在する場合には、ハイパートラックのそれぞれのトラックにおけるアイランドは、同じハイパートラック内の隣り合ったトラックにおけるアイランドからアイランドスペース（IS）の1/N倍の長さ分だけトラックに沿った方向にずれて配置されている。読み取りヘッド及び書き込みヘッドはハイパートラックのクロストラック方向の幅とほぼ同じ横幅或いはクロストラック方向の幅を有しているので、ハイパートラック内の個々のトラック全てに及ぶものである。ヘッドは、ハイパートラック内の各トラックのデータアイランドに対して連続的に読み取りや書き込みを選択的に行うことにより、ハイパートラック内の全てのデータアイランドに対して読み取りや書き込みを行う。異なるハイパートラックに対して読み取りや書き込みを行うために、読み取り／書き込みヘッドは一つのハイパートラックの中心部からデータの読み取りや書き込みを行う別のハイパートラックの中心部に移動する。
【００１０】
本発明の複数のハイパートラックは半径方向或いはクロストラック方向に、隣り合うハイパートラックの外側のトラック同士の間のクロストラック方向の間隔を意味するグループスペース（GS）の距離の間隔を隔てて配置されており、GSがTSよりも大きいことを特徴とするものである。この距離GSは、書き込みを行っているハイパートラックに隣り合った別のハイパートラック内のいずれかのアイランドに対して誤って書き込みヘッドによるフリンジング磁界によって書き込みが成されてしまうのを防ぐためのものである。又、ハイパートラック内のアイランドは、隣り合った別のハイパートラック内のアイランドからトラックに沿った方向のアイランドスペース（IS）の約1/2N倍の長さ分だけトラックに沿った方向にずれて配置されていてもよい。そうすることによって、ハイパートラックからの再生パルスも一致してずれを生じ、隣り合う別のハイパートラックからの再生パルスの間のほぼ中間点に位置することとなる。このような「位相の不一致」な状態は、読み取りを行っているハイパートラックに隣り合った別のハイパートラックからの干渉を最小限にして、エラー率を減らすことができる。
【００１１】
隣り合ったハイパートラック同士は重ならないものの、ハイパートラックは隣り合ったデータトラック内のデータアイランド同士が重なり合うようにデータアイランドを非常に密接して配置することができる。その結果として、トラックスペース（TS）をアイランドスペース（IS）より小さいか或いは同等にすることができ、面データ密度を増大させることができる。
【００１２】
本発明は上記のパターン化媒体を組み込んだ磁気記録装置にも関するものである。
【００１３】
本発明の本質や効果を十分に理解するために、以下に図面を参照しながら本発明を詳細に説明する。
【発明の効果】
【００１４】
本発明によれば、データアイランドに対する読み取りと書き込みが向上すると共に面データ密度が増大したパターン化媒体を提供することができる。
【発明を実施するための最良の形態】
【００１５】
本発明の磁気記録媒体と磁気記録装置は以下においては磁気記録ディスクとディスクドライブに関して説明を行う。図１はパターン化された磁気記録ディスク10を備えたディスクドライブ100の上面図である。ドライブ100はアクチュエータ130及び磁気記録ディスク10を回転させるためのドライブモータを支持しているハウジング又はベース112を有している。アクチュエータ130は、剛体のアーム134を有し、矢印124で示す通り旋回軸132を中心に回転するボイスコイルモータ（VCM）ロータリーアクチュエータであってもよい。ヘッドサスペンション組立品には、アクチュエータアーム134の端に一端が付いたサスペンション121と、サスペンション121のもう一方の端に付いたエアベアリングスライダのようなヘッドキャリア122が含まれる。サスペンション121があるおかげで、ヘッドキャリア122をディスク10のかなり近くに保持することができる。磁気抵抗効果型読み取りヘッド（図示されていない）及び誘導型書き込みヘッド（図示されていない）は当技術分野では周知のように通常はヘッドキャリア122のトレーリング表面上にパターン化された一体型の読み取り／書き込みヘッドとして形成されるものである。
【００１６】
パターン化された磁気記録ディスク10にはディスク基板11が含まれると共に、基板11上に磁化可能物質から成る不連続なデータアイランド30が含まれる。データアイランド30は半径方向に間隔の空いた円形トラック118に配列されているが、わずか数個のアイランド30と、ディスク10の内径と外径に近い代表的なトラック118が図１で示されている。ディスク10が矢印20の方向に回転すると、アクチュエータ130の動きによって、ヘッドキャリア122のトレーリング端上にある読み取り／書き込みヘッドが、ディスク10上の別のデータトラック118にアクセスすることができる。パターン化された媒体への書き込みには、記録信号とアイランドのパターンが同期化することが必要である。書き込みを記録するために磁化アイランドを用いるパターン化媒体磁気記録装置が、特許文献２（米国特許第6,754,017号明細書）に開示されている。
【００１７】
図２はディスク10の一部を拡大したものの上面図であり、先行技術によるディスク基板11の表面上にあるデータアイランド30の配列の詳細を示している。アイランド30には磁化可能記録物質が含まれ、トラック118a〜118eで示される通り、半径方向またはクロストラック方向に間隔をおいて配列されている複数のトラックに配置されている。複数のトラックは互いに一定のトラックスペースTSという均等な間隔で離れている。
【００１８】
図２に示されているようなパターン化媒体ディスクは、磁化可能記録物質中の磁化方向がアイランド内の記録層の平面に対して平行或いは面内である面内磁気記録ディスクであってもよく、又、磁化方向がアイランド内の記録層の平面に対して垂直或いは面外である垂直磁気記録ディスクであってもよい。パターン化されたデータアイランドに必要な磁気分離を生み出すためには、アイランド間の領域の磁気モーメントは破壊されるか、こうした空間を実質的に非磁性的にするよう相当程度に減少させなければならない。パターン化された媒体はいくつかの公知の製法のいずれによって作製してもよく、ある製法では連続磁気フィルムが基板上に置かれ、その後フィルムがイオンビームでエッチングされて分離した複数のデータアイランドを形成する。
【００１９】
別のタイプのパターン化された媒体では、データアイランドは、ディスク基板表面の上方に延びた、間隙を介して配置されている隆起した柱であって、基板表面上の当該柱の間の谷又は溝を形作っているものである。パターン化されたこのタイプの媒体は図３の断面図で示される。パターン化されたこのタイプの媒体では、事前にエッチングされたパターンの柱31と柱間の溝や領域を有した基板11が、平板印刷やナノインプリンティングのような方法で比較的廉価に大量に生産できる。磁気記録層物質はその後、事前にエッチングされた基板の表面全体に蒸着され、柱31の端と柱31間の溝の両方を覆い、磁気記録層物質から成るデータアイランド30と磁気記録層物質から成る溝32を生じさせる。記録層物質から成る溝32は、アイランド30内の記録層物質に対して読み取りや書き込みを行う際に悪影響を及ぼさないよう、読み取り/書き込みヘッドとは十分な間隔が空けられている。パターン化されたこのタイプの媒体は特許文献３（米国特許第6,440,520号明細書）に開示されており、また非特許文献１（IEEE Transactions on Magnetics, Vol. 38, No.4, July 2002, pp. 1731-1736, ”Patterned Media Made From Pre-Etched Wafers: A Promising Route Toward Ultrahigh-Density Magnetic Recording” （Moritz et al.））にも開示されている。
【００２０】
先行技術である図２のパターンについて再び触れると、各トラック内のアイランドは、代表的なアイランドである30aと30bで示される通り、一定なアイランドスペースISという均等な間隔で離れている。ここでISは隣り合う二つのアイランドの中心間の間隔である。また、各トラック内のアイランドはトラックに沿った方向に、隣り合うトラック内のアイランドからアイランドスペースの半分（IS/2）だけずれて配置されている。例えば図２において、トラック118b内のアイランドは隣り合うトラック118aと118c内アイランドからIS/2の距離だけ左にずれて配置されている。
【００２１】
図２は、トラック118bの中心に合わせて配置した読み取りヘッド或いは書き込みヘッドのいずれかを表したものであるヘッド素子60も示している。素子60が読み取りヘッドであればディスクは矢印20の方向に回転し、個々のアイランドの磁化方向によってトラック118bの磁化データアイランドがヘッド素子60を通過し、特定の再生信号を発生させる。しかしながら、隣り合うトラック118aと118cのアイランドがトラック118bのアイランドからIS/2の距離だけトラックに沿った方向にずれて配置されているため、こうした隣り合うトラックからの再生信号干渉が読み取られているトラックであるトラック118bからの再生信号と同調しない。これにより、読み取られたデータについてのエラー率が相当程度に軽減される。
【００２２】
図４は本発明によるディスク210の一部を拡大したものの上面図であり、ディスク基板211の表面におけるデータアイランド230の配列の詳細を示している。アイランド230はトラック218a〜218hで示される通り、半径方向またはクロストラック方向に間隔をおいて配列された複数のトラック内に配置されている。トラックは二トラックグループ、すなわち250、252、254、256で示される通り、ハイパートラックとも呼ばれる半径方向に間隔を隔てて配置されたマルチトラックグループに配列されている。
【００２３】
各ハイパートラックにおいては、ハイパートラック250のトラック218aと218bで示される通り、トラックは半径方向またはクロストラック方向でTSの距離だけ間隔をおいて離れているが、ここではTSは隣り合う二つのトラックの中心線間の距離である。各トラックのアイランドは、トラック218dのアイランド230aと230bで示される通り、均等なアイランドスペースであるISの間隔だけ離れている。また、ハイパートラックの各トラック内のアイランドは、例えばハイパートラック250のトラック218aがハイパートラック250のトラック218b内のアイランドからIS/2の距離だけ右にずれて配置されている例で示される通り、同一のハイパートラック内の隣り合うトラック内のアイランドからアイランドスペースの半分（IS/2）だけトラックに沿った方向にずれて配置されている。
【００２４】
ハイパートラックはグループスペース（GS）の距離だけ離れている。グループスペースとは、ハイパートラック250内のトラック218bとハイパートラック252内のトラック218cとの間の距離であるGSで示される通り、隣り合うハイパートラックの外側の二つのトラック間のクロストラック方向の間隔である。GSの距離はTSより大きく、少なくともTSの約1.2倍であることが好ましい。また、ハイパートラック内のアイランドは任意に、隣り合うハイパートラックのアイランドからトラックに沿った方向のアイランドスペースの約四分の一（IS/4）だけ、トラックに沿った方向にずれて配置されていてもよい。
【００２５】
例えば、トラック218b内のアイランド230c、トラック218c内のアイランド230d、トラック218d内のアイランド230eで表される通り、ハイパートラック250のトラック218b内のアイランドはハイパートラック252のトラック218c内のアイランドからIS/4だけ左に、またハイパートラック252のトラック218d内のアイランドからIS/4だけ右にずれて配置されている。同様に、ハイパートラック250のトラック218a内のアイランドはハイパートラック252のトラック218d内のアイランドからIS/4だけ左に、またハイパートラック252のトラック218c内のアイランドからIS/4だけ右にずれて配置されている。隣り合うハイパートラックがこのようにトラックに沿った方向に任意にずれて配置されることにより、ハイパートラックからの再生パルスも一致してずれを生じ、隣り合う別のハイパートラックからの再生パルスの間のほぼ中間点に位置することとなる。このような「位相の不一致」な状態は、読み取りを行っているハイパートラックに隣り合った別のハイパートラックからの干渉を最小限にして、エラー率を減らすことができる。
【００２６】
図４はヘッド素子260も示しており、これはハイパートラック252の中心に合わせて配置されており、ハイパートラック252のほぼ全トラックに渡る、読み取りヘッド或いは書き込みヘッドのいずれかを表したものである。ヘッド素子は、トラック218cと218dのそれぞれから連続してアイランドの読み取りと書き込みを選択的に行うことにより、ハイパートラック252内の全てのデータアイランドの読み取り或いは書き込みを行うものである。例えば、素子260が読み取りヘッドである場合には、ディスクは矢印20の方向に回転し、トラック218cと218dの磁化データアイランドはアイランド上の1〜7の数字で示す通りの順番に検知される。ヘッド素子260が書き込みヘッドである場合には、ハイパートラックスペースGSがTSより大きいために、書き込みヘッドからのフリンジング磁界は書き込みを行っているハイパートラックに隣り合った別のハイパートラック内のアイランドに誤って書き込みを行ってしまうことはない。異なるハイパートラックに読み取り或いは書き込みを行うために、読み取り／書き込みヘッドはあるハイパートラックの中心（例えばトラック218aと218bの真ん中）から、データの読み取り或いは書き込みが行われる別のハイパートラックの中心（例えばトラック218gと218hの真ん中）に移動される。
【００２７】
図５は隣り合ったハイパートラック内のアイランドがトラックに沿った方向にずれて配置されていることが、再生信号をどのように向上させているかを図解している。図５では、ハイパートラック254内のアイランドがハイパートラック252内のアイランドからIS/4の距離だけトラックに沿った方向にずれて配置されているが、ここでISはトラックに沿った方向でのアイランド間の間隔を意味する。アイランド上の（-）の記号は負の磁化（紙面に対して垂直）を、アイランド上の（+）の記号は正の磁化（紙面から垂直）を表し、代表的なユーザデータに対応する無作為の磁化状態である。ハイパートラック252と254それぞれの模擬再生信号253と255でわかる通り、正のアイランドはそれぞれ正のパルスを発生させ、負のアイランドはそれぞれ負のパルスを発生させる。あるハイパートラック上の（いずれかの極性の）パルスが一致してずれて位置しており、その結果これらは隣り合ったハイパートラックの（いずれかの極性の）パルス間のほぼ真ん中に位置することとなる。これが隣り合ったハイパートラックの干渉を最小限にする「位相の不一致」な状況であり、エラー率の軽減につながる。
【００２８】
図４で示すようにアイランドが配列されているパターン化された磁気記録ディスクの一つの例においては、例えば、各データアイランドの直径は22.1nm、ISは36.8nm、TSは31.9nm、GSは38.2nmである。この場合のディスクの直線またはトラックに沿った方向のビット密度は1380キロビット/インチ（kbpi）、トラック密度は362,000ハイパートラック/インチ、面密度は500ギガビット/平方インチ（Gbits/in2）となる。
【００２９】
本発明は一ハイパートラック当り二本のトラックに限定されるものではなく、一ハイパートラック当りN本のトラックを持つこともでき、この場合のNは２以上である。Nトラックからなるハイパートラックの各トラック内のアイランドは、ハイパートラック内の隣り合ったトラックからトラックに沿った方向にIS/Nの距離だけずれて配置されており、隣り合ったハイパートラック内のアイランドのトラックに沿った方向へのずれは任意にIS/2Nの距離であってもよい。図６は基板311の上に一ハイパートラックパターン当り三トラックのあるディスク310の一部を拡大したものの上面図であり、二つのハイパートラック350と352にグループ分けされた代表的な６つのトラック318a〜318fを示している。ここではハイパートラックの各トラック内のアイランドが、ハイパートラック内の隣り合ったトラックからトラックに沿った方向にIS/3だけずれて配置されている。ハイパートラック350と352はGSの距離だけ離れており、二つのハイパートラック内のアイランドはトラックに沿った方向にIS/6の距離だけ相互にずれて配置されている。ディスクが20の方向に回転すると、読み取りヘッド或いは書き込みヘッド360は、ハイパートラック350内のデータアイランド上の数字で示す通り、1〜10の順番でデータアイランドに対して読み取り或いは書き込みを行う。
【００３０】
先行技術であるアイランドのシングルトラック配列については、隣り合った二つのトラックは隣り合ったトラックの干渉を懸念して、重なることができない。実際、トラックの誤登録やクロストラック方向の書き込み磁界の勾配に限界があることを考慮すると、シングルトラック間には相当なスペースが必要であろう。従って、面データ密度は六方最密構造のアイランドより低くなってしまう。さらに、隣り合った二つのシングルトラック間に隙間dがある場合には、各シングルトラックの隙間dと各ビットが占める面積は：
4R2+2Rd
となるが、ここではRは円形のデータアイランドの半径であり、2Rはトラックに沿った方向のアイランドの間隔であるISである。これは図７Ａで図解されている。
【００３１】
もっとも、本発明による二トラックからなる（N＝2）ハイパートラックと比較すると、ハイパートラック内の二つのトラックは六方最密構造により隙間なく詰め込まれたアイランドを有することができる（実際に二つのトラックはわずかに重なり合う）が、隣り合ったハイパートラック間には重なりはあってはならない。また、シングルトラック配列中の各トラックに隙間dが必要なのに対して、各ハイパートラック（二つのトラック）に隙間dが一つだけ必要なのみである。その結果、各ビットが占める面積は：
（2R+√3）R2 + Rd
となる。これは図７Ｂで図解されている。図７Ｂで示される通り、トラックスペースであるTSがアイランドスペースであるISより小さいことが図解されているように、ハイパートラック内の二本のトラックは重なり合うことができる。
【００３２】
面データ密度（AD）の増加量は半径Rに対する隙間dの割合に左右され、下記の公式：
ADハイパートラック/ADシングルトラック＝2（1+x）/［1+（√3）/2+x］から得られるが、ここでx＝d/Rである。
面データ密度の増加量は、代表的なd/Rの値の範囲に関する図８のグラフで示されている。図８からわかる通り、ハイパートラックを採用することにより、ハイパートラック内のトラックをシングルトラックの配列より密に置くことができ、面データ密度を約7〜25％増加させることができる。
【００３３】
図７Ａと図７Ｂはまた、ハイパートラックのBARの増加も図解している。図７Ａのシングルトラックの配列におけるBARは：
（2R+d）/2R ＝ 1+（1/2）（d/R）
で得られる一方で、図７Ｂのハイパートラックについては、BARは：
（2R+√3R+d）/R ＝ 2+√3+（d/R）
によって得られる。代表的なd/Rの値を0.4とすると、（シングルトラック配列の1.20と比較すると）ハイパートラックのBARは4.13であり、そのためヘッドの製造がより容易になる。
【００３４】
本発明におけるパターン化された磁気記録媒体は、半径方向またはクロストラック方向に離れた同心のデータトラックを有した磁気記録ディスクとして上で説明されてきた。しかしながら、本発明の媒体は磁気テープ、またはクレジットカードや「スマート」カードの磁気ストライプでも実現させることができ、その場合はトラックはクロストラック方向に間隔を置いて配置された線状のトラックとなろう。また、データアイランドが図中で円形に表されているが、本発明はアイランドの形状によって限定されるものではない。
【００３５】
以上のように、本発明を好ましい態様に即して部分的に記載したが、当業者であればこの発明の精神と範囲から逸脱しない範囲内で発明の形態や詳細を変更することが可能である。従って、本明細書に開示された発明は単なる実例として理解し、本発明は添付の請求項に記された範囲にのみ限定されると理解すべきものである。
【図面の簡単な説明】
【００３６】
【図１】パターン化された磁気記録ディスクを備えたディスクドライブの上面図である。
【図２】図１に示したディスクの一部を拡大したものの上面図であり、先行技術によるデータアイランドの配列の詳細を示した図である。
【図３】データアイランドが基板の上方に伸びた間隙を介して配置されている隆起した柱であるパターン化媒体の一種の断面図である。
【図４】ディスクの一部を拡大したものの上面図であり、本発明によるデータアイランドの配列の詳細を示した図である。
【図５】本発明によるハイパートラック二本を図解したものであり、隣り合うハイパートラックにおけるアイランドのトラックに沿った方向へのずれと、発生する再生信号を示した図である。
【図６】本発明による一ハイパートラックパターン当り三トラックからなる、パターン化された媒体の一部を拡大したものの上面図である。
【図７Ａ】先行技術であるシングルトラックのデータアイランド配列を図解したものであり、一ビットが占める面積を示した図である。
【図７Ｂ】本発明による二トラックからなるハイパートラックのデータアイランドを図解したものであり、一ビットが占める面積を示した図である。
【図８】d/Rの割合で示した、ハイパートラックの面データ密度増加のグラフであって、dは隣り合うハイパートラック間の隙間を、Rは円形データアイランドの半径を示したグラフである。
【符号の説明】
【００３７】
２１０…ディスク、２１１…ディスク基板、２１８ａ−２１８ｈ…トラック、２３０…アイランド、２５０，２５２，２５４，２５６…ハイパートラック、２６０…ヘッド素子、３１０…ディスク、３１１…ディスク基板、３１８ａ−３１８ｆ…トラック、３５０，３５２…ハイパートラック、３６０…ヘッド素子。
【図１】
2008217967.tif 000003
【図２】
2008217967.tif 000004
【図３】
2008217967.tif 000005
【図４】
2008217967.tif 000006
【図５】
2008217967.tif 000007
【図６】
2008217967.tif 000008
【図７Ａ】
2008217967.tif 000009
【図７Ｂ】
2008217967.tif 000010
【図８】
2008217967.tif 000011